(57)【要約】      （修正有）【課題】ドリルビットの切削深度制御と切削位置の確認が容易な歯科用ハンドピース構造を提供する。【解決手段】歯科用ハンドピース構造は、ドリルビット本体１０、ナット２０及び調整リング３０を含む。ドリルビット本体１０は歯科用ハンドピースの駆動端に連結して高速回転し、ドリルビット本体１０にはネジ紋段１３を設置する。ナット２０は六角ナットであり、ドリルビット本体１０のネジ紋段１３に固定し、調整リング３０は予定セグメント幅を備え、中央は六角状のナット設置孔３１を凹設し、そこにナット２０を入れ、調整リング３０中央にもネジ孔を成形し、前述ネジ紋段１３で固定する。【選択図】図１
0003203964.tif 000002
【実用新案登録請求の範囲】
【請求項１】
主にドリルビット本体、ナット及び調整リングから構成された歯科用ハンドピース構造において、
該ドリルビット本体は細桿体であり、上端は連結部を成形し、歯科用ハンドピースの駆動端に連結して高速回転させ、底端はドリル部を成形し、切削の孔開け能力を備え、該ドリル部の上方はネジ紋段を設置し、該ナットは、六角ナットであり、ドリルビット本体のネジ紋段で固定し、該調整リングは予定セグメント幅を備え、中央は六角状のナット設置孔が凹設され、そこにナットを嵌合し、調整リングの中央にはネジ孔を成形され、該ネジ孔はドリルビット本体のネジ紋段で固定することを特徴とする歯科用ハンドピース構造。
【考案の詳細な説明】
【技術分野】
【０００１】
本考案は、ドリル構造に関するもので、特にインプラント手術に使用し、口腔内患部の歯骨に対して切削に用いる歯科用ハンドピース構造に係る。
【背景技術】
【０００２】
一種のインプラント技術は、口腔治療において既に長年の歴史において応用されていて、且つ材料の進歩とインプラント技術の改善によって成功率は大幅に上昇し、歯が欠けた患者に設置する義歯の問題が有効に改善されている。前述の人工インプラントは、主にインプラント体を口腔内患部の歯槽骨に植え込み、抜いた歯根の代替としてインプラント体を支持台と結合して固定し、歯冠を支持台上に固定し、人工代替物を失った歯の代わりに設置する。
【０００３】
伝統的なインプラント過程において、歯科用ハンドピース（dental handpiece）にドリルビットを連結し、患者の口腔患部の歯槽骨に対して切削を行い、インプラント体を歯槽骨内に螺設する。歯科医師が患者に切削を行う時、切削の位置は、歯が欠けた患部の位置とする。
【先行技術文献】
【特許文献】
【０００４】
【特許文献１】特開２０１４−１２１４４５号公報
【考案の概要】
【考案が解決しようとする課題】
【０００５】
解決しようとする一つ目の問題点として、切削位置は通常歯欠け患部の二歯中央位置がよく、その位置の決定は現在のところ、経験豊富なプロの施術師が肉眼で判断して切削の正確な位置を求めなければならない。２つ目の問題は、切削深度であるが、患者の歯骨状況とインプラント体サイズ等条件を考慮しなければならない。切削深度は、深すぎても浅すぎてもインプラント体設置のスムーズさと安定度に影響する。拠って、施術者はインプラント体の設置に影響しないように、ドリルビットの孔切削深度を厳密に観察しなければならない。
【０００６】
前述の問題に対し、現在歯骨切削時に使用するドリルビットにとって、実質的な補助作用がないため、施術者の操作技術に頼らざるを得ず、そのため人為的ミスやうっかりミスが発生することが免れない。拠って創造的で進歩的なドリルビットを提供することで、上述問題を解決しなければならない。
【課題を解決するための手段】
【０００７】
本考案は、ドリルビット本体、ナット及び調整リングを含む。該ドリルビット本体は歯科用ハンドピースの駆動端に連結して高速回転し、ドリルビット本体にはネジ紋段を設置する。該ナットは六角ナットであり、ドリルビット本体のネジ紋段に固定し、調整リングは予定セグメント幅を備え、中央は六角状のナット設置孔を凹設し、そこにナットを入れ、調整リング中央にもネジ孔を成形し、前述ネジ紋段で固定することを最も主要な特徴とする。
【考案の効果】
【０００８】
本考案の歯科用ハンドピース構造は、ドリルビットの切削深度制御と切削位置の確認が容易であるという利点がある。
【図面の簡単な説明】
【０００９】
【図１】本考案の実施例の立体分解構造図である。
【図２】本考案の実施例の立体組立構造図である。
【図３】本考案の実施例の平面組立構造図である。
【図４】本考案の調整リングを設置した立体指示図１である。
【図５】本考案の調整リングを設置した立体指示図２である。
【図６】本考案の調整リングを設置した平面指示図である。
【考案を実施するための形態】
【００１０】
公知の歯科歯骨切削施術の際のドリルビット構造設計欠陥による問題を改善するため、ドリルビット構造を提供する。歯骨に対して切削を行うだけでなく、且つドリルビット末尾の歯骨の切削深度をコントロールする他に、切削の正確な位置確認の補助を行い施術中のインプラント体の設置と安定性を保つことを本考案の主な目的とする。
【００１１】
本考案が提供するドリル構造は、ドリルビット本体、ナット及び調整リングから構成される。該ドリルビット本体は細桿体であり、上端は連結部を成形し、歯科用ハンドピースの駆動端を連結して高速で回転する。底端はドリル部を成形し、切削の穴開け能力を備える。特に該ドリル部の上方にはネジ紋段を設置する。該ナットは六角ナットであり、ドリルビット本体のネジ紋段に固定し、調整リングは予定セグメント幅を備え、中央は六角状のナット設置孔を凹設し、そこにナットを嵌合し、調整リング中央には更にネジ孔も成形し、前述ネジ紋段を固定する。これらに拠って、ドリルビットの孔切削深度の制御と切削位置の確認という目的を達成する。
【実施例】
【００１２】
本考案に関する技術内容、特徴及び効果は、以下で参考図式と共に実施例を挙げて詳細に説明する。その他、本考案は、特別に説明したものであり、その図式の指示方式で基本構造を説明している。つまり、これらの図式中に示される構造もしくは部材、且つ表示される構造形状、サイズ、比例、もしくは部材の数等はすべて一種の選択性のものであることを先に述べておく。
【００１３】
本考案構造及びそれによって達成できる効果は図式と共に以下に説明する。
【００１４】
先ず、図１は本考案の良好な実施例の立体分解構造図、図２は本考案の良好な実施例の立体組立構造図、及び図３は本考案の良好な実施例の平面組立構造図である。図式に示すとおり、本考案はドリルビット本体１０、ナット２０及び調整リング３０によって構成される。そのうち、
【００１５】
該ドリルビット本体１０は細桿体であり、上端には連結部１１を成形し、底端にはドリル部１２を成形する。該ドリル部１２上方にはネジ紋段１３を設置する。該連結部１１は歯科用ハンドピースの駆動端を連結し、歯科用ハンドピースの駆動に拠ってドリルビット本体１０を高速で回転させ、該ドリル部１２は切削の穴開け能力を備える。
【００１６】
該ナット２０は、六角ナットであり、ドリルビット本体１０のネジ紋段１３に固定する。
【００１７】
調整リング３０は、予定セグメント幅を備え、中央は六角状のナット設置孔３１を凹設し、そこにナットを嵌合し、調整リング３０中央には更にネジ孔３２も成形し、該ネジ孔３２はドリルビット本体１０のネジ紋段１３で固定する。
【００１８】
上述の本考案の部材構造設計に基づき、該連結部１１は歯科用ハンドピースの駆動端に連結し、歯科用ハンドピースの駆動によってドリルビット本体１０を高速回転させ、ドリル部１２が歯骨に対して孔切削する。該ナット２０がドリルビット本体１０のネジ紋段１３で単独固定するか、もしくは調整リング３０がドリルビット本体１０のネジ紋段１３で単独固定する。またはナット２０を調整リング３０のナット設置孔３１に設置した後、次にドリルビット本体１０のネジ紋段１３に合わせて固定してもよい。図４、図５及び図６は、本考案の調整リング設置の状態指示図である。ナット２０と調整リング３０は、異なる方式によってドリルビット本体１０のネジ紋段１３に固定し、ドリル部１２の異なる孔切削深度の要求を満たす。その他、該調整リング３０は予定のセグメント幅を備え、該幅は歯欠け患部の二歯のピッチに合う。該調整リング３０は多種の異なるセグメント幅によって施術者に選択させ、調整リング３０のセグメント幅が患部二歯ピッチにちょうど合うので、ドリルビット本体１０の孔切削過程において、調整リング３０によって二歯ピッチ位置が限定され、更に孔切削位置がちょうどよくなる。
【００１９】
以下は、本考案構造設計によって発生する長所である。
【００２０】
該ドリルビット本体１０のドリル部１２は調整リング３０の正方向回転、逆方向回転及びドリルビット本体１０のネジ紋段１３での高低調節動作によって、ドリル部１２が突出し、施術者は孔切削深度の維持が容易になり、切削の多寡による問題を防止する。
【００２１】
該調整リング３０は、予定のセグメント幅を施術者が選択することに拠って、調整リング３０の幅は歯欠け患部の二歯ピッチにちょうど合わさり、それによって、ドリルビット本体１０が孔切削過程中において、該調整リング３０が切削位置の案内作用を提供し、更に切削位置が符合する。
【００２２】
上述のとおり、本考案は、主にドリルビット本体１０、ナット２０及び調整リング３０の構造設計によって、歯科用ハンドピースを設置して歯骨に対して孔切削し、且つドリルビット尾部の歯骨切削深度を制御する。同時に、孔切削位置まで案内し確認することで、手術の施行を助け、インプラント体の安定性を高める。しかしながら、上述部材の構造内容は、本考案の実施例にすぎず、本考案の構造を限定するものではない。拠って、同等の精神下で同効果の修飾もしくは変更は、すべて本考案の請求範囲に含まれる。上述のとおり、本考案は顕著な実用特性を備え、且つその運用技術手段及びその構造特徴は、本考案者の研究開発に拠るもので市場では未見であるため、実用新案登録申請の要件に符合する。
【符号の説明】
【００２３】
１０   ドリルビット本体
１１   連結部
１２   ドリル部
１３   ネジ紋段
２０   ナット
３０   調整リング
３１   ナット設置孔
３２   ネジ孔
【図１】
0003203964.tif 000003
【図２】
0003203964.tif 000004
【図３】
0003203964.tif 000005
【図４】
0003203964.tif 000006
【図５】
0003203964.tif 000007
【図６】
0003203964.tif 000008